(57)【要約】【課題】端末使用台数、端末の使用形態に応じて、歩きスマホに対する警告レベルを調整して警告を行ない、スマートホン使用時の安全性を高め、使用時のマナー向上を図る。【解決手段】警告制御サーバは、キャリア管理サーバから基地局毎の携帯端末接続に関する情報の一定期間の履歴から時間帯毎の接続携帯端末数の基準値を算出し、キャリア管理サーバから現在の接続している基地局毎の携帯端末接続に関する情報を受信し、現在の接続携帯端末数と、時間帯毎の接続携帯端末数の基準値の差分を算出し、基準値の差分が警告レベルに対応する閾値の範囲にあるときに、その警告レベルに対応した警告レベルを警告発出機に通知する。警告発出機は、警告エリア内にある専用アプリがそのスマートホンが歩きスマホの状態であることを検知しているスマートホンに、警告レベルを伴う警告通知を行う。【選択図】  図１
2017073711.tif 000002
【特許請求の範囲】
【請求項１】
スマートホンの歩行中の使用（以下、「歩きスマホ」）に対して警告を通知する移動体通信システムであって、
基地局から基地局エリア内の携帯端末接続に関する情報を受信し、蓄積するキャリア管理サーバと、
前記キャリア管理サーバと接続され、前記キャリア管理サーバから基地局毎の前記携帯端末接続に関する情報を受信する警告制御サーバと、
前記警告制御サーバと接続され、警告エリア内のスマホ警告アプリケーションソフトウェアがインストールされたスマートホンと無線ＬＡＮにより通信する警告発出機とを備え、
前記警告制御サーバは、前記キャリア管理サーバから基地局毎の前記携帯端末接続に関する情報の一定期間の履歴から時間帯毎の接続携帯端末数の基準値を算出し、
前記警告制御サーバは、前記キャリア管理サーバから現在の接続している基地局毎の前記携帯端末接続に関する情報を受信し、前記現在の接続携帯端末数と、前記時間帯毎の接続携帯端末数の基準値の差分を算出し、
前記警告制御サーバは、前記基準値の差分が警告レベルに対応する閾値の範囲にあるときに、その警告レベルに対応した警告レベルを前記警告発出機に通知し、
前記警告発出機は、前記警告エリア内にあるスマホ警告アプリケーションソフトウェアがインストールされたスマートホンで、スマホ警告アプリケーションソフトウェアがそのスマートホンが歩きスマホの状態であることを検知しているスマートホンに、前記警告レベルを伴う警告通知を行うことを特徴とする移動体通信システム。
【請求項２】
前記警告エリア内にあり、前記スマホ警告アプリケーションソフトウェアがインストールされたスマートホンは、スマホ警告アプリケーションソフトウェアにより、そのスマートホンが歩きスマホの状態である検知して、無線通信により前記警告発出機に報告し、
前記警告発出機は、前記警告エリア内にある歩きスマホの状態である検知されたスマートホンの数が一定の閾値以上であるときに、前記警告レベルを変更することを特徴とする請求項１記載の移動体通信システム。
【請求項３】
スマートホンの歩行中の使用（以下、「歩きスマホ」）に対して警告を通知する移動体通信システムの移動体通信方法であって、
前記移動体通信システムは、
基地局から基地局エリア内の携帯端末接続に関する情報を受信し、蓄積するキャリア管理サーバと、
前記キャリア管理サーバと接続され、前記キャリア管理サーバから基地局毎の前記携帯端末接続に関する情報を受信する警告制御サーバと、
前記警告制御サーバと接続され、警告エリア内のスマホ警告アプリケーションソフトウェアがインストールされたスマートホンと無線ＬＡＮにより通信する警告発出機とを備え、
前記警告制御サーバは、前記キャリア管理サーバから基地局毎の前記携帯端末接続に関する情報の一定期間の履歴から時間帯毎の接続携帯端末数の基準値を算出するステップと、
前記警告制御サーバは、前記キャリア管理サーバから現在の接続している基地局毎の前記携帯端末接続に関する情報を受信し、前記現在の接続携帯端末数と、前記時間帯毎の接続携帯端末数の基準値の差分を算出するステップと、
前記警告制御サーバは、前記基準値の差分が警告レベルに対応する閾値の範囲にあるときに、その警告レベルに対応した警告レベルを前記警告発出機に通知するステップと、
前記警告発出機は、前記警告エリア内にあるスマホ警告アプリケーションソフトウェアがインストールされたスマートホンで、スマホ警告アプリケーションソフトウェアがそのスマートホンが歩きスマホの状態であることを検知しているスマートホンに、前記警告レベルを伴う警告通知を行うステップとを有することを特徴とする移動体通信方法。
【請求項４】
さらに、前記警告エリア内にあり、前記スマホ警告アプリケーションソフトウェアがインストールされたスマートホンは、スマホ警告アプリケーションソフトウェアにより、そのスマートホンが歩きスマホの状態である検知して、無線通信により前記警告発出機に報告するステップと、
前記警告発出機は、前記警告エリア内にある歩きスマホの状態である検知されたスマートホンの数が一定の閾値以上であるときに、前記警告レベルを変更するステップとを有することを特徴とする請求項３記載の移動体通信方法。
【請求項５】
スマホ警告アプリケーションソフトウェアがインストールされたスマートホンであって、
前記スマホ警告アプリケーションソフトウェアは、スマートホンが歩行中に使用（以下、「歩きスマホ」）されているか否かを検出する機能と、
前記スマホ警告アプリケーションソフトウェアは、スマートホンが歩行中に使用されているか否かを無線通信により、警告発出機に通知する機能と、
前記スマホ警告アプリケーションソフトウェアは、前記警告発出機より、歩きスマホに対する警告レベルを伴う警告通知を受取る機能とを有することを特徴とするスマートホン。
【請求項６】
スマホ警告アプリケーションソフトウェアは、表示画面に警告レベルを伴う警告通知を表示することを特徴とする請求項５記載のスマートホン。
【請求項７】
スマホ警告アプリケーションソフトウェアは、音により警告通知を行うことを特徴とする請求項５記載のスマートホン。
【請求項８】
スマホ警告アプリケーションソフトウェアは、警告レベル毎に音のメロディを変更することを特徴とする請求項７記載のスマートホン。
【請求項９】
スマホ警告アプリケーションソフトウェアは、ユーザが画面を見ていないときに、音により警告通知を行うことを特徴とする請求項７記載のスマートホン。
【請求項１０】
スマホ警告アプリケーションソフトウェアは、ステータスバーに警告レベルを伴う警告通知を表示することを特徴とする請求項５記載のスマートホン。
【請求項１１】
スマホ警告アプリケーションソフトウェアは、加速度センサが大きいときに、前記警告発出機から受取った前記警告レベルを変更することを特徴とする請求項７記載のスマートホン。
【発明の詳細な説明】
【技術分野】
【０００１】
本発明は、移動体通信システム、及び、移動体通信方法に係り、特に、ユーザのスマートホン使用時の安全性を高めるのに好適な移動体通信システム、及び、移動体通信方法に関する。
【背景技術】
【０００２】
移動体情報端末が広く普及すると共に、歩行中にスマートホン等の端末を操作するいわゆる「歩きスマホ」を行う人が増加し、対向者と衝突したり、交差点や踏切に進入したりする事故等が発生している。事故を未然に防ぐために端末に対して警告を行う方法としては、例えば、以下の特許文献１、特許文献２のような従来技術がある。
【０００３】
特許文献１では、システムが特定領域内の移動体通信端末の数を算出し、混雑状況を判定し、それに基づいて適切な情報を移動体通信端末に通知する。
【０００４】
また、特許文献２に記載の技術は、携帯電話器が、現在の位置情報を取得して、地図サーバに送信し、地図サーバは、その位置の地図情報を返送する。そして、携帯電話器は、現在地の位置情報と地図情報に基づいて、現在地が踏切などの危険区域であるか否かを判定し、危険区域にあるときには、警告音により警告するものである。
【先行技術文献】
【特許文献】
【０００５】
【特許文献１】特開２００３−２８８６６３号公報
【特許文献２】特開２００３−２８４１２０号公報
【発明の概要】
【発明が解決しようとする課題】
【０００６】
上記のように、特許文献１記載の技術は、特定領域内の移動体通信端末の数を算出し、混雑状況を把握することを可能にし、特許文献２では、地図情報により危険区域を認識している。
【０００７】
しかしながら、これらの技術を歩きスマホに適用するには、以下のような問題がある：
１．特許文献２記載の技術では、端末の位置情報を取得して所在エリアを特定するため、端末側からの位置情報通知が必須となる。歩きスマホに適用する場合、場合によっては端末側からの位置情報がなくても警告を通知する必要もあるが、この技術では対応できない。  
２．従来技術では、歩きスマホを特定して警告を通知することができないため、歩きスマホをしない端末にも警告を通知する問題がある。  
３．従来技術は、歩きスマホが行なわれている端末の台数を把握できないため、そのような端末台数に応じて適切に警告を調整することができない。
【０００８】
本発明は、上記問題点を解決するためになされたもので、その目的は、端末使用台数、端末の使用形態に応じて、歩きスマホに対する警告レベルを調整して歩きスマホに対する警告を行ない、スマートホン使用時の安全性を高め、スマートホン使用時のマナー向上を図ることのできる移動体通信システムを提供することにある。
【課題を解決するための手段】
【０００９】
本発明の移動体通信システムは、スマートホンの歩行中の使用（以下、「歩きスマホ」）に対して警告を通知する移動体通信システムであって、基地局から基地局エリア内の携帯端末接続に関する情報を受信し、蓄積するキャリア管理サーバと、キャリア管理サーバと接続され、キャリア管理サーバから基地局毎の携帯端末接続に関する情報を受信する警告制御サーバと、警告制御サーバと接続され、警告エリア内のスマホ警告アプリケーションソフトウェアがインストールされたスマートホンと無線ＬＡＮにより通信する警告発出機とを備えるものである。そして、警告制御サーバは、キャリア管理サーバから基地局毎の携帯端末接続に関する情報の一定期間の履歴から時間帯毎の接続携帯端末数の基準値を算出し、キャリア管理サーバから現在の接続している基地局毎の携帯端末接続に関する情報を受信し、現在の接続携帯端末数と、時間帯毎の接続携帯端末数の基準値の差分を算出し、基準値の差分が警告レベルに対応する閾値の範囲にあるときに、その警告レベルに対応した警告レベルを警告発出機に通知する。また、警告発出機は、警告エリア内にあるスマホ警告アプリケーションソフトウェアがインストールされたスマートホンで、スマホ警告アプリケーションソフトウェアがそのスマートホンが歩きスマホの状態であることを検知しているスマートホンに、警告レベルを伴う警告通知を行う。
【００１０】
また、好ましくは、警告エリア内にあり、スマホ警告アプリケーションソフトウェアがインストールされたスマートホンは、スマホ警告アプリケーションソフトウェアにより、そのスマートホンが歩きスマホの状態である検知して、無線通信により警告発出機に報告し、警告発出機は、警告エリア内にある歩きスマホの状態である検知されたスマートホンの数が一定の閾値以上であるときに、警告レベルを変更する。
【発明の効果】
【００１１】
本発明によれば、端末使用台数、端末の使用形態に応じて、歩きスマホに対する警告レベルを調整して歩きスマホに対する警告を行ない、スマートホン使用時の安全性を高め、スマートホン使用時のマナー向上を図ることのできる移動体通信システムを提供することができる。
【図面の簡単な説明】
【００１２】
【図１】本発明の一実施形態に係る移動体通信システムの全体構成図である。
【図２】警告制御サーバの構成図である。
【図３】警告発出機の構成図である。
【図４】スマートホンの構成図である。
【図５】接続携帯数端末履歴テーブル４７０の一例を示す図である。
【図６】基準値テーブル４７２の一例を示す図である。
【図７】警告レベルテーブル４７４の一例を示す図である。
【図８】基地局毎接続数基準値算出処理を説明する図である。
【図９】基地局毎接続数基準値算出処理を説明するフローチャートてある。
【図１０】基地局毎接続数基準値と接続数の差分から警告レベルを算出する処理を説明する図である。
【図１１】基地局毎接続数基準値と接続数の差分から警告レベルを算出する処理を説明する図である。
【図１２】警告エリアの概要を説明する図である。
【図１３】警告エリアに設置される警告発出機の概要を説明する図である。
【図１４】警告発出機が歩きスマホを検出する処理の概要を説明する図である。
【図１５】警告エリア内の歩きスマホ統計数による警告レベル調整から警告通知までの処理の概要を説明する図である。
【図１６】警告エリア内の歩きスマホ統計数による警告レベル調整から警告通知までの処理の詳細を説明するフローチャートである。
【図１７Ａ】歩きスマホの警告通知の通知画面を示す図である。
【図１７Ｂ】歩きスマホの警告通知をステータスバーにの通知したときの様子を示す図である。
【発明を実施するための形態】
【００１３】
以下、本発明に係る一実施形態を、図１ないし図１７Ｂを用いて説明する。
【００１４】
先ず、図１ないし図４を用いて本発明の一実施形態に係る移動体通信システムの構成について説明する。図１は、本発明の一実施形態に係る移動体通信システムの全体構成図である。図２は、警告制御サーバの構成図である。図３は、警告発出機の構成図である。図４は、スマートホンの構成図である。
【００１５】
本実施形態に係る移動体通信システムは、図１に示されるように、スマートホン１、キャリア管理サーバ３、警告制御サーバ４、警告発出機７、基地局８からなる。
【００１６】
スマートホン１は、電話、Ｅメール、Ｗｅｂ閲覧や、アプリケーションの実行などが行なえる多機能情報処理端末である。本実施形態の移動体通信システムは、このスマートホン１の使用者に対して、歩行中に操作をするいわゆる「歩きスマホ」の行為に対して、適切なレベルで警告を与えるものである。スマートホン１は、基地局８と３Ｇ、４Ｇ通信などにより無線で通信し、一般電話網（図示せず）に接続し、他の電話端末と接続して、電話をしたり、パケット通信によりインターネット網（図示せず）に接続して、Ｅメール、Ｗｅｂ閲覧を行うこともできる。
【００１７】
基地局８は、基地局エリア３０内のスマートホン１と通信を行なっており、定期的にスマートホン１からのポーリングを受信している。基地局エリア３０は、例えば、一辺が１ｋｍほどのヘキサゴン領域である。
【００１８】
キャリア管理サーバ３は、各通信事業者の管理用サーバであり、事業者の通信網（図示せず）を介して、各々の基地局エリア３０内で基地局８と接続中の携帯端末数を受取り、時間毎に端末接続情報２を警告制御サーバ４に通知する。
【００１９】
警告制御サーバ４は、警告発出機７に対して警告レベルを通知するためのサーバである。警告制御サーバ４は、キャリア管理サーバ３より、時間毎に端末接続情報４を受取り、基地局エリア３０内にあるスマートホン１の歩きスマホに対する警告レベル５を演算し、警告発出機７に通知する。
【００２０】
警告発出機７は、警告エリア６にあるスマートホン１に対して、警告を発出する機器である。警告発出機７は、スマートホン１に対し、無線ＬＡＮにより接続され、スマートホン１の状態の報告を受けたり、スマートホン１に対して、警告レベルを指定して、歩きスマホに対して警告を通知する。警告エリア６は、スマートホン１と無線で通信できる範囲である１００ｍ以下のほぼ円形の領域である。また、警告発出機７は、警告制御サーバ４と接続して、警告レベル５を受け取ったり、警告エリア６内のスマートホン１の状態を警告制御サーバ４に報告する。
【００２１】
なお、スマートホン１には、警告発出機７と情報のやりとりを行うために、スマホ警告アプリケーションソフトウェアをインストールする必要がある。
【００２２】
次に、図２を用いて警告制御サーバ４の構成について説明する。  
警告制御サーバ４は、図２に示されるように、例えば、一般的なサーバ用のコンピュータで実現される。
【００２３】
警告制御サーバ４は、ＣＰＵ（Central Processing Unit）４０２、主記憶装置４０４、ネットワークＩ／Ｆ４０６、表示Ｉ／Ｆ４０８、入出力Ｉ／Ｆ４１０、補助記憶Ｉ／Ｆ４１２が、バスにより結合された形態になっている。
【００２４】
ＣＰＵ４０２は、警告制御サーバ４の各部を制御し、主記憶装置４０４に必要なプログラムをロードして実行する。
【００２５】
主記憶装置４０４は、通常、ＲＡＭなどの揮発メモリで構成され、ＣＰＵ４０２が実行するプログラム、参照するデータが記憶される。
【００２６】
ネットワークＩ／Ｆ４０６は、ネットワークと接続するためのインタフェースである。
【００２７】
表示Ｉ／Ｆ４０８は、ＬＣＤ（Liquid Crystal Display）などの表示装置４２０を接続するためのインタフェースである。
【００２８】
入出力Ｉ／Ｆ４１０は、入出力装置を接続するためのインタフェースである。図２の例では、キーボード４３０とポインティングデバイスのマウス４３２が接続されている。
【００２９】
補助記憶Ｉ／Ｆ４１２は、ＨＤＤ（Hard Disk Drive）４５０やＤＶＤドライブ（Digital Versatile Disk）（図示せず）などの補助記憶装置を接続するためのインタフェースである。
【００３０】
ＨＤＤ４５０は、大容量の記憶容量を有しており、本実施形態を実行するためのプログラムが格納されている。ＨＤＤ４５０は、サーバの場合には、アレイ構成をとる場合もある。
【００３１】
警告制御サーバ４には、接続数受信プログラム４６０、接続数演算プログラム４６２、警告レベル演算プログラム４６４、警告レベル通知プログラム４６６がインストールされている。
【００３２】
接続数受信プログラム４６０は、キャリア管理サーバ３から携帯端末の接続情報を受信するプログラムである。携帯端末の接続情報は、後述する接続数携帯履歴テーブル４７０に格納される。
【００３３】
接続数演算プログラム４６２は、携帯端末の接続情報から、平日、休日（土曜、日曜）や祝日の時間帯毎の携帯端末接続数の平均値を演算するプログラムである。演算結果は、後述する基準値テーブル４７２に格納される。
【００３４】
警告レベル演算プログラム４６４は、平日や祝日の時間帯毎の携帯端末接続数の平均値と、現在の携帯端末接続数を比較して、警告レベルを算出するプログラムである。
【００３５】
警告レベル通知プログラム４６６は、警告レベル演算プログラム４６４による警告レベルを、警告発出機７に通知するプログラムである。
【００３６】
また、警告制御サーバ４は、データベースとして、接続携帯数端末履歴テーブル４７０、基準値テーブル４７２、警告レベルテーブル４７４を保持する。これらのテーブルの詳細については、後に説明する。
【００３７】
次に、図３を用いて警告発出機７の構成について説明する。  
警告発出機７は、図３に示されるように、ハードウェアとして、ＣＰＵ（Central Processor Unit）７００、ＲＦ部７０４、無線ＬＡＮ部７０２、メインメモリ７０６、フラッシュメモリ７１０が、バスで結合されて構成されている。
【００３８】
ＣＰＵ７００は、警告発出機７の各部を制御し、メインメモリ７０６上にロードされるプログラムを実行する演算・制御のためのユニットである。ＣＰＵ７００は、フラッシュメモリ７１０に格納されるプログラムをメインメモリ７０６に読み込み実行することにより、種々の処理を行う。これらのプログラムやデータは、予めフラッシュメモリ７１０に格納しておく。
【００３９】
ＲＦ部７０４は、内部信号を無線帯域の高周波信号に変換したり、逆に、無線帯域の高周波信号を、内部信号に変換するためのインタフェース装置である。警告発出機７は、ＲＦ部７０４を介して、３Ｇ回線や４Ｇ回線により通信して、警告制御サーバと通信し、必要な情報のやりとりを行う。
【００４０】
無線ＬＡＮ部７０２は、無線ＬＡＮの規格（例えば、IEEE 802.11 a/b/g/n/acなど）により、通信エリア内のスマートホンの状態を取得したり、スマートホンに歩きスマホに対する警告情報を伝える部分である。
【００４１】
メインメモリ７０６は、フラッシュメモリ７１０に記憶されているプログラムをロードして一時的に保管したり、ワークデータを記憶する記憶装置である。
【００４２】
フラッシュメモリ７１０は、通常メインメモリ７０６より大容量で、プログラムやデータを格納する不揮発性のメモリである。
【００４３】
フラッシュメモリ７１０には、警告レベル受信プログラム７１２、スマホ状態受信プログラム７１４、警告レベル調整プログラム７１６、警告通知プログラム７１８がインストールされている。
【００４４】
警告レベル受信プログラム７１２は、警告制御サーバ４からその基地局エリア３０内の警告レベルを受取るプログラムである。
【００４５】
スマホ状態受信プログラム７１４は、後述するスマホ警告アプリケーションソフトウェア１９がインストールされたスマートホン１から、そのスマートホン１の状態を受取るプログラムである。
【００４６】
警告レベル調整プログラム７１６は、複数のスマートホン１から受取った状態に基づき、警告制御サーバ４から受取った警告レベルを調整するプログラムである。
【００４７】
警告通知プログラム７１８は、警告レベル調整プログラム７１４により調整された警告レベルを、後述するスマホ警告アプリケーションソフトウェア１９がインストールされたスマートホン１に通知するプログラムである。
【００４８】
次に、図４を用いてスマートホン１の構成について説明する。  
スマートホン１は、図４に示されるように、ハードウェアとして、ＣＰＵ（Central Processor Unit）１００、ＲＦ部１０１、ベースバンドプロセッサ１０２、無線ＬＡＮ部１０３、カメラ１０４、ディスプレイＩ／Ｆ（InterFace）１０５、加速度センサ１０６、メインメモリ１０７、フラッシュメモリ１０８、オーディオＩ／Ｆ（InterFace）１０９が、バスで結合されて構成されている。また、ディスプレイＩ／Ｆ１０５には、ディスプレイ１１０とタッチパネル１２０が接続され、オーディオＩ／Ｆ１０９には、マイク１３０とスピーカ１４０が接続されている。
【００４９】
ＣＰＵ１００は、スマートホン１の各部を制御し、メインメモリ１０７上にロードされるプログラムを実行する演算・制御のためのユニットである。ＣＰＵ１００は、フラッシュメモリ１０８に格納されるプログラムをメインメモリ１０７に読み込み実行することにより、種々の処理を行う。これらのプログラムやデータは、予めフラッシュメモリ１０８に格納しておく。
【００５０】
ＲＦ部１０１は、ベースバンドプロセッサ１０２の信号を無線帯域の高周波信号に変換したり、逆に、無線帯域の高周波信号を、ベースバンドプロセッサ１０２の信号に変換するためのインタフェース装置である。スマートホン１は、ＲＦ部１０１を介して、３Ｇ回線や４Ｇ回線により基地局を介して通信したり、インターネットにより、サーバと通信し、必要な情報のやりとりや、データのダウンロードを行うことができる。
【００５１】
ベースバンドプロセッサ１０２は、スマートホン１の通信や通話に関するモジュールを制御するプロセッサである。また、ＲＦ部１０１と、ベースバンドプロセッサ１０２とにより、通信キャリアと送受信する電波の状態を測定する機能も有する。
【００５２】
無線ＬＡＮ部１０３は、無線ＬＡＮの規格（例えば、IEEE 802.11 a/b/g/n/acなど）により、近隣のアクセスポイントと通信を行う部分である。特に、本実施形態では、無線ＬＡＮ部１０３は、警告発出機７と情報のやりとりを行う。
【００５３】
カメラ１０４は、スマートホン１の周りの状況を撮像し、それを画像データとしてフラッシュメモリ１０８に保存する。
【００５４】
ディスプレイＩ／Ｆ１０５には、ディスプレイ１１０とタッチパネル１２０を接続するインタフェースである。ディスプレイ１１０は、例えば、液晶ディスプレイや有機ＥＬ（Electro-Luminescence）ディスプレイ等のユーザに画像情報を表示する表示装置であり、３インチ〜５インチ程度の画面の表示サイズのものが一般に使用されている。タッチパネル１２０は、ユーザがディスプレイ１１０上を指又はタッチペンで接触することにより、データやコマンドを入力する仕組みの入力装置である。
【００５５】
加速度センサ１０６は、スマートホン１に発生する加速度を測定するセンサである。測定された加速度は、例えば、画面の表示切替などに使用される。特に、本実施形態では、歩行状態を検出するために利用される。
【００５６】
メインメモリ１０７は、フラッシュメモリ１０８に記憶されているプログラムをロードして一時的に保管したり、ワークデータを記憶する記憶装置である。
【００５７】
フラッシュメモリ１０８は、通常メインメモリ１０７より大容量で、プログラムやデータを格納する不揮発性のメモリである。フラッシュメモリ１０８には、音源データ、動画データなどの各種データと、アプリケーションソフトウェアなどのプログラムを記憶する比較的大容量の記憶装置である。
【００５８】
オーディオＩ／Ｆ１０９は、マイク１３０やスピーカ１４０を接続するインタフェースである。マイク１３０は、外部から集音する装置である。スピーカ１４０は、音を出力する装置である。ユーザは、通話するときには、マイク１３０から音声を入力して、相手の音声は、スピーカ１４０から聴くことになる。なお、図には示さなかったが、オーディオＩ／Ｆ１０９に音声出力デバイスとして、イヤホンやヘッドフォンを接続してもよい。
【００５９】
本実施形態のスマートホン１には、スマホ警告アプリケーションソフトウェア１９がインストールされる。スマホ警告アプリケーションソフトウェア１９は、状態取得モジュール１９２、状態報告モジュール１９４、警告受信モジュール１９６、警告表示モジュール１９８からなる。
【００６０】
状態取得モジュール１９２は、スマートホン１の状態（ロック状態／アンロック状態か、詳細は後述）を、取得するプログラムである。
【００６１】
状態報告モジュール１９４は、スマートホン１の状態（ロック状態／アンロック状態か）を、警告発出機７に報告するプログラムである。
【００６２】
警告受信モジュール１９６は、警告発出機７から警告レベルを伴う警告情報を受信するプログラムである。
【００６３】
警告表示モジュール１９８は、受信した警告情報を音又は表示により、ユーザに通知するプログラムである。
【００６４】
次に、図５ないし図７を用いて一実施形態に係る移動体通信システムのデータ構造について説明する。  
図５は、接続携帯数端末履歴テーブル４７０の一例を示す図である。図６は、基準値テーブル４７２の一例を示す図である。図７は、警告レベルテーブル４７４の一例を示す図である。
【００６５】
接続携帯数端末履歴テーブル４７０は、警告制御サーバ７により保持され、基地局毎に接続履歴を保持するテーブルあり、図５に示されるように、基地局、端末ＩＤ、着信時間、切断時刻の各フィールドを有する。
【００６６】
図５に示される例では、例えば、基地局００１で、端末ＩＤ「０Ｘ１Ａ００３」の端末が、着信した時刻が、２０１５年９月１０日の１２時０３分５６秒であり、切断した時刻が、２０１５年９月１０日の１２時０７分２４秒であることを示している。
【００６７】
基準値テーブル４７２は、警告制御サーバ７により保持され、接続携帯数端末履歴テーブル４７０の接続携帯数の履歴から、時間帯毎に平均を取った数値を格納するテーブルであり、図６に示されるように、基地局、時間帯、接続携帯端末数の各フィールドを有する。
【００６８】
ここで、時間帯は、その日の特徴となる「平日」、「休日（土曜、日曜）」、「祝日」に分けて分類している。また、これを曜日毎に平均をとるなどの運用をしてもよい。
【００６９】
図６に示される例では、例えば、基地局００１は、平日の９：００〜９：１０の接続携帯端末数の平均値が、２７であることを示している。
【００７０】
警告レベルテーブル４７４は、警告制御サーバ４により保持され、警告レベルと、現在の基地局エリア３０内の接続数と、図６に示された接続携帯端末数履歴の平均値との差分と警告レベルの対応を示したテーブルであり、図７に示されるように、警告レベルと閾値の各フィールドからなる。
【００７１】
警告レベルは、本実施形態は、レベル０〜レベル４（以下、レベル０を「ＬＶ.０」と表記する、その他も同じ）の五段階からなるものとし、レベルが高いほど、シリアスな警告であるものとする。
【００７２】
図７に示される例では、現在の接続数と、図６に示された接続携帯端末数履歴の平均値との差分が、例えば、６ないし１５であるときに、警告レベルを、ＬＶ．１にすることを示している。
【００７３】
次に、図８ないし図１７Ｂを用いて一実施形態に係る移動体通信システムの処理について説明する。  
先ず、図８及び図９を用いて基地局毎接続数基準値算出処理について説明する。図８は、基地局毎接続数基準値算出処理を説明する図である。図９は、基地局毎接続数基準値算出処理を説明するフローチャートである。
【００７４】
本実施形態では、予め収集された基地局エリア３０毎の携帯電話の通信履歴の事前一年間のデータを、キャリア管理サーバ３から受取り、それを用いて、警告レベルの決定に必要な基準比較値を事前に算出する。これを接続数基準値算出処理ということにする。
【００７５】
以下では、接続数基準値の意義について説明する。
【００７６】
ある基地局エリア３０内で、基地局８と接続する携帯電話の数は、一日を通して大体規則的に推移する。例えば、あるエリア内の会社員は、朝の始業時間帯に出勤して、夕方の終業時間帯に帰宅する傾向がある上、当該エリア内の会社員数は、平日であれば日より大幅に変化することはない。そして、エリア内の接続携帯電話数は、エリア内の人数と同じ傾向を示すと考えられ、一日を通して統計的な規則がある。また、その統計的な規則は、基地局エリア３０の特徴(高速道路、駅周辺、ショッピングセンタ、郊外等)によって違うし，期日平日、土日、休日、連休等や時間帯深夜、朝、午前中、午後、夕方等によっても違うと考えられる。そのため、本実施形態では、基地局エリア３０毎に対して、期日や時間帯毎に、接続する携帯電話数を、接続数基準値として算出することにより、歩きスマホに対する警告レベルのベースとするものである。すなわち、本実施形態では、統計的な規則を反映した基準値と稼働中の接続携帯電話数との差分が、エリア内の携帯電話の集中度変化を反映すると考え、その差分により、歩きスマホに対する警告レベルを求めるようにしたものである。
【００７７】
次に、図８を用いて接続数基準値算出処理の概要について説明する。  
接続数基準値算出処理は、基地局エリア３０毎の接続携帯電話数の履歴より（図８（ａ））、期日平日、土日、休日、連休等毎の特徴により分類し、同じ特徴がある各日のデータ、例えば、平日の一年間のデータを選び出し（図８（ｂ））、時間帯毎に平均値を計算し、警告レベルの基準比較値として保存するものである（Ｈ（ｃ））。
【００７８】
また、基地局エリア３０毎の接続携帯電話数の履歴を計算する期間については、本実施形態では一年間分としたが、用途によっては事前データ収集期間を一年以上や一年以下に変更してもよい。
【００７９】
次に、図９を用いて接続数基準値算出処理の詳細について説明する。  
先ず、警告制御サーバ４は、基地局エリア３０毎の接続携帯電話数の履歴を格納した接続先携帯端末履歴テーブル４７０から該当基地局エリア３０の一年間の接続携帯電話の履歴データを読み込む（Ｓ１０）。
【００８０】
次に、警告制御サーバ４は、接続履歴を期日（平日、土日、休日、連休等）により分類して、同じ特徴がある各日のデータ、例えば、平日の一年間の履歴を選び出し、時間帯毎に平均値を計算する（Ｓ１１）。
【００８１】
次に、警告制御サーバ４は、算出データを警告レベルの基準比較値として基準値テーブル４７２に保存する（Ｓ１２）。
【００８２】
次に、図１０及び図１１を用いて基地局毎接続数基準値と接続数の差分から警告レベルを算出処理の概要について説明する。図１０は、基地局毎接続数基準値と接続数の差分から警告レベルを算出する処理を説明する図である。図１１は、基地局毎接続数基準値と接続数の差分から警告レベルを算出する処理を説明する図である。
【００８３】
先ず、図１０を用いて基地局毎接続数基準値と接続数の差分から警告レベルを算出処理の概要について説明する。
【００８４】
警告制御サーバ４は、基地局エリア３０毎の接続携帯電話情報（図１０（ｂ））を、キャリア管理サーバ３から、一定時間間隔毎、例えば、５秒毎に受信する。そして、図１０に示した接続数基準値算出処理により求められた基準値（図１０（ａ））との差分をとる（図１０（ｃ））。時刻ｔ毎の差分値Δｃ（ｔ）は、以下の（式１）に示されるようになる。
【００８５】
Δｃ（ｔ）＝接続携帯数（ｔ）−基準値（ｔ）      …（式１）
そして、このΔｃ（ｔ）の値を閾値Ｔｈｉ（ｉ＝０，…，４）と、比較して、Δｃ（ｔ）＜Ｔｈ１のときに、警告レベルＬＶ．０、Ｔｈ１≦Δｃ（ｔ）＜Ｔｈ２
のときに、警告レベルＬＶ．２、以下同様にして、警告レベルＬＶ．０〜ＬＶ．４までの警告レベルを設定するものである（図１０（ｄ））。ただし、最高レベルのときには、閾値Ｔｈ４は、便宜上∞であるものとする。また、Δｃ（ｔ）＜０のときには、警告レベルＬＶ．０になることも注意しておく。
【００８６】
すなわち、このように基準値よりも接続携帯数がより大きくなっているときに、重要度（ＬＶ．ｗのｗが大きい）が高くなるようにする。
【００８７】
次に、図１１を用いて基地局毎接続数基準値と接続数の差分から警告レベルを算出する処理の詳細について説明する。
【００８８】
先ず、警告制御サーバ４は、基地局エリア３０毎の接続携帯端末情報を、キャリア管理サーバから、５秒毎に受信する（Ｓ２０）。
【００８９】
次に、警告制御サーバ４は、基地局エリア３０毎の該当時間帯の警告レベルの基準値を、基準値テーブル４７２から読み込む（Ｓ２１）。
【００９０】
次に、警告制御サーバ４は、上記の（式１）により接続携帯電話数と基準値の差分を計算する（Ｓ２２）
次に、警告レベルテーブル４７４の閾値と差分を比較し、警告レベルを算出する（Ｓ２３）。
【００９１】
最後に、警告制御サーバ４は、算出した警告レベルを該当基地局エリア３０内の警告発出機７に通知する（Ｓ２４）。
【００９２】
警告制御サーバ４内で、Ｓ２０〜Ｓ２４の処理は、ループされる。
【００９３】
次に、図１２ないし図１４を用いて警告制御サーバ、警告エリア、警告発出機、スマートホンの関係について説明する。図１２は、警告エリアの概要を説明する図である。図１３は、警告エリアに設置される警告発出機の概要を説明する図である。図１４は、警告発出機が歩きスマホを検出する処理の概要を説明する図である。
【００９４】
本実施形態では、事故が発生しやすいエリアに、図１２に示されるように警告エリア６を設置する。具体的には、交差点、視界が悪いカーブ、事故が発生したことがあるエリア等に、警告エリア６を設置する。そして、警告エリア６の中心に、警告発出機７を設置する。また、警告制御サーバ４が、基地局エリア３０毎の接続携帯電話数を用いて警告レベル５を算出するため、警告エリア６は、必ず基地局エリア３０の電波到達範囲に含まれるものとする。なお、一つの基地局エリア３０内に複数の警告エリア６を設置することもある。
【００９５】
そして、警告制御サーバ４で算出される警告レベル５は、基地局エリア３０毎の警告レベル５であり、各警告エリア６の警告レベル５は含まれる基地局エリア３０の警告レベル５を用いる。また、警告エリア６毎に、自エリア内の歩きスマホ数によって警告レベル５を調整することがある。この調整については、後に、図１５及び図１６により詳細に説明する。
【００９６】
警告エリア６毎に設置された警告発出機７は、図１３に示されるように警告制御サーバ４から警告レベル５を、一定期間毎、例えば、５秒毎に取得する機能、無線ＬＡＮの規格（例えば、IEEE 802.11 a/b/g/n/acなど）にしたがう、無線通信１７により警告エリア６内のスマホ警告アプリケーションソフトウェアがインストールされたスマートホン１に接続して、歩きスマホの数を推計して警告レベル５を調整する機能、無線通信１７による警告エリア６内のスマホ警告アプリケーションソフトウェアがインストールされたスマートホン１に警告レベル５を通知する機能を有する。
【００９７】
警告エリア６の範囲は、警告発出機７の無線規格に準拠した無線通信１７の電波到達範囲と同じである。本実施形態では、警告発出機７の無線規格に準拠した無線通信１７の電波到達範囲は、十数メートルから数十メートルであり、警告エリア６から遠く離れた場所まで警告を出すことはない。ただし、用途によってはさらに広いエリアやさらに狭いエリアに設定してもよい。
【００９８】
警告発出機７は、一定期間毎、例えば、５秒毎に警告制御サーバ４から、含まれる基地局エリア３０の警告レベル５を取得する。ここで、警告レベル５取得の集中を避けるため、警告発出機７毎の警告レベル５の取得タイミングを乱数で分散するのが好ましい。警告発出機７は、所定期間、例えば、１分以上警告レベル５を取得できない場合、警告レベル５を強制にＬＶ．０(警告なし)に設定して、警告エリア６内の警告レベル５通知を停止する。
【００９９】
また、警告発出機７の近距離無線通信手段については、本実施形態では、IEEE 802.11 a/b/g/n/acなどを例としてあげたが、用途によってはその他の近距離無線通信手段を適用可能である。
【０１００】
次に、図１４を用いて警告発出機が歩きスマホを検出する処理の概要について説明する。  
先ず、図４に示したスマホ警告アプリケーションソフトウェア１９が検出するスマートホンのロック/アンロック状態について説明する。
【０１０１】
ロック状態は、スマートホンの電源は、ＯＮ状態だが、ロックボタンを押したり、スマートホンを所定時間操作しないことにより、自動ロックが設定されるなどの要因によって、ユーザが、スマートホンのスクリーン操作ができない状態である。
【０１０２】
アンロック状態は、ロック状態が解除されて、スマートホンのスクリーン操作ができる状態である。
【０１０３】
スマホ警告アプリケーションソフトウェア１９は、無線通信１７による警告発出機７と通信する機能、スマホのロック/アンロック状態を検出する機能、図４の加速度センサ１０６によるスマートホンの移動/振動を検出する機能を有する。
【０１０４】
スマホ警告アプリケーションソフトウェア１９は、スマホアンロック状態で無線通信１７による警告発出機７との通信状態が、未接続状態から接続状態に変化した際、すなわち、図１４に示されるようにスマホアンロック状態で端末移動ルート２０が警告エリア６外から警告エリア６内に入る際に、警告エリア６内の歩きスマホ行為として検出する。また、スマホ警告アプリケーションソフトウェア１９は、スマホアンロック状態で無線通信手段１７による警告発出機７との通信状態が接続状態を継続しながら、図４に示した加速度センサ１０６によるスマホ移動/振動を検出した場合、すなわち、スマホアンロック状態で端末移動ルート２０が警告エリア６内を移動する際に警告エリア６内の歩きスマホ行為として検出する。
【０１０５】
スマホ警告アプリケーションソフトウェア１９は、警告エリア６内の歩きスマホ行為を検出したときに、無線通信１７により警告発出機７と接続して、警告レベル５を取得する。警告レベル５が、ＬＶ．１以上の場合（すなわち、ＬＶ．０以外）は、警告をユーザのスマートホンに提示する。
【０１０６】
次に、図１５及び図１６を用いて警告エリア内の歩きスマホ統計数による警告レベル調整から警告通知までの処理について説明する。図１５は、警告エリア内の歩きスマホ統計数による警告レベル調整から警告通知までの処理の概要を説明する図である。図１６は、警告エリア内の歩きスマホ統計数による警告レベル調整から警告通知までの処理の詳細を説明するフローチャートである。
【０１０７】
警告発出機７と接続するスマホ警告アプリケーションソフトウェア１９は、警告エリア６内のスマートホン１にインストールされたものである。そのため、警告発出機７は、スマホ警告アプリケーションソフトウェア１９が報告を受けて、警告エリア６内の検知された歩きスマホの歩きスマホ統計数がわかる。歩きスマホ統計数が多くなると、警告エリア６内のスマホ警告アプリケーションソフトウェア１９がインストールされていない歩きスマホも多くなる傾向があるので、歩きスマホ統計数に応じて警告レベル５を調整する。なお、ここでは、スマホ警告アプリケーションソフトウェア１９が普及しており、ある一定以上の割合で、スマートホンに対して、スマホ警告アプリケーションソフトウェア１９がインストールされている、また、スマートホンＯＳにバンドルされて標準でスマートホンにインストールされているなどの状況を想定している。
【０１０８】
警告発出機７の警告レベル調整処理では、歩きスマホ統計数を警告レベル調整閾値Ｔｈｗと比較して調整を行う。例えば、歩きスマホ統計数＜警告レベル調整閾値Ｔｈｗのときには、警告発出機７は調整を行わず、警告制御サーバ４から取得した警告レベル５をそのまま接続しているスマホ警告アプリケーションソフトウェア１９に通知する。歩きスマホ統計数≧警告レベル調整閾値Ｔｈｗのときには、警告発出機７は、警告制御サーバ４から取得した警告レベル５を一段階上げる、すなわち、警告レベル５をＬＶ．ｉから、ＬＶ．（ｉ＋１）にする。例えば、ＬＶ．０（警告なし）をＬＶ．１に変更する、ＬＶ．１をＬＶ．２に変更するなどである。ただし、警告レベル５の最高レベルであるＬＶ．４は、この場合でもそのままである。そして、調整後、接続しているスマホ警告アプリケーションソフトウェア１９のインストールされたスマートホンに警告を通知する。
【０１０９】
次に、図１６を用いて警告エリア内の歩きスマホ統計数による警告レベル調整から警告通知までの処理の詳細について説明する。  
先ず、警告発出機７は、警告制御サーバ４から該当警告エリア６の警告レベル５を、５秒毎に受信する（Ｓ３０）。
【０１１０】
次に、警告発出機７は、該当警告エリア６内の検知された歩きスマホ統計数をカウントする（Ｓ３１）。
【０１１１】
警告発出機７は、検知された歩きスマホ統計数を警告レベル調整閾値Ｔｈｗと比較し、歩きスマホ統計数≧警告レベル調整閾値Ｔｈｗのとき（Ｓ３２：Ｙ）、警告発出機７は警告レベル５を一段階上げ（Ｓ３３）、そうでないとき（Ｓ３２：Ｎ）、警告レベル５を調整しない。
【０１１２】
そして、警告発出機７は、スマホ警告アプリケーションソフトウェア１９をインストールしている接続中のスマートホンに、警告レベル５を指定して警告を通知する（Ｓ３４）。
【０１１３】
また、スマートホン１が警告レベルを受取り、加速度センサ１６０の計測する加速度が大きく、そのスマートホンが歩きスマホの状態で使用され、かつ、その状態が危険であると推定されるときには、受取った警告レベルをさらに段階を上げるなどの調整をするようにしてもよい。
【０１１４】
次に、図１７Ａ及び図１７Ｂを用いて歩きスマホの警告通知について説明する。図１７Ａは、歩きスマホの警告通知の通知画面を示す図である。図１７Ｂは、歩きスマホの警告通知をステータスバーに通知したときの様子を示す図である。
【０１１５】
歩きスマホの警告通知は、図１７Ａに示されるような通知画面により、警告レベル表示５０と共に表示される。また、図４のスピーカ１４０から発せられる音声により、通知してもよい。そのときには、メロディにより、警告レベルを異ならせるようにしてもよい。警告レベル毎のメロディは、ユーザカスタマイズできるようにしてもよい。さらに、図１７Ｂに示されるように、画面上段のステータスバーに、警告レベルと共に、警告表示をするようにしてもよい、この場合は、ユーザが見ていた表示画面の内容は継続されるというメリットがある。
【０１１６】
また、通話中のときのように、画面を見ていないときにのみ、音で通知を機能にしてもよい。また、近年のスマートホンでは、近接センサによりユーザが画面を見ていないか否かを検出することができる。それにより画面視聴の有無を判定してもよい。
【０１１７】
また、振動（バイブレーション）で歩きスマホの警告通知をする機能を備えるようにしてもよい。
【０１１８】
さらに、歩きスマホの警告通知の表示のＯＮ／ＯＦＦをユーザが設定できるようにしてもよい。
【０１１９】
以上、説明したように、本実施形態の移動体通信システムを用いることにより、端末の位置情報を取得しなくても、特定エリア内の歩きスマホのみに警告を通知することができ、検出された歩きスマホ台数に応じて警告レベルを調整することが可能な警告システムを実現することができる。
【符号の説明】
【０１２０】
１…スマートホン
２…接続携帯端末情報
３…キャリア管理サーバ
４…警告制御サーバ
５…警告レベル
６…警告エリア
７…警告発出機
８…基地局１７…無線通信
１９…スマホ警告アプリケーションソフトウェア
２０…スマホアンロック状態で端末移動ルート
３０…基地局エリア
５０…警告レベル表示
【図１】
2017073711.tif 000003
【図２】
2017073711.tif 000004
【図３】
2017073711.tif 000005
【図４】
2017073711.tif 000006
【図５】
2017073711.tif 000007
【図６】
2017073711.tif 000008
【図７】
2017073711.tif 000009
【図８】
2017073711.tif 000010
【図９】
2017073711.tif 000011
【図１０】
2017073711.tif 000012
【図１１】
2017073711.tif 000013
【図１２】
2017073711.tif 000014
【図１３】
2017073711.tif 000015
【図１４】
2017073711.tif 000016
【図１５】
2017073711.tif 000017
【図１６】
2017073711.tif 000018
【図１７Ａ】
2017073711.tif 000019
【図１７Ｂ】
2017073711.tif 000020